(57)【要約】【課題】  加熱調理具を加熱する加熱コイルの下方に、加熱コイル制御用の制御基板を収容している基板ケースが配置されている加熱調理器において、基板の基板ケースからの取り出しを容易にして、制御基板の交換・修理を容易にする誘導加熱調理器を提供する。【解決手段】  加熱調理具が載置可能なトッププレート３の下方に、加熱調理具を加熱するための加熱コイル１０と、加熱コイル１０を制御するための制御基板１２を収容可能な基板ケース１１が配置されている。加熱調理器の前面のパネル部８を取り外したときに、制御基板１２を基板ケース１１に固定している固定具２６を取り外すことができる。基板ケース１１の前方は開口１１ａとなっており、基板ケース１１を加熱調理器から取り出すことなく、基板ケース１１の棚板１９上の制御基板１２を最奥部の係合具１８から引き抜く態様で、制御基板１２のみを取り出すことができる。【選択図】        図１
2007035534.tif 000002
【特許請求の範囲】
【請求項１】
加熱調理具が載置可能なトッププレート、前記加熱調理具を加熱するため前記トッププレートの下方に配置されている加熱コイル、前記加熱コイルの下方に配置されている基板ケース、及び前記加熱コイルを制御するため前記基板ケース内に配置されている制御基板を備え、前記制御基板は前記基板ケースに対して側方から収納又は取り出し可能であることを特徴とする誘導加熱調理器。
【請求項２】
前記基板ケースの側部には、前記制御基板が通過可能な開口が形成されていることを特徴とする請求項１に記載の誘導加熱調理器。
【請求項３】
前記基板ケースの前記開口を通した先の奥部には、前記開口を通して差し入れた前記制御基板の先端部がスライド挿入可能な係合部が配設されていることを特徴とする請求項２に記載の誘導加熱調理器。
【請求項４】
前記基板ケースの前記開口にはアダプタ部材が取り外し可能に適合されており、前記アダプタ部材は、その内面側に、前記制御基板を固定する固定具を備えていることを特徴とする請求項２又は３に記載の誘導加熱調理器。
【請求項５】
前記固定具は、前記制御基板の手元端部が挿入可能な溝が形成されている溝付き固定具であることを特徴とする請求項４に記載の誘導加熱調理器。
【請求項６】
前記固定具は、前記制御基板の手元端部を前記基板ケースに押さえ付ける押え固定具であることを特徴とする請求項４に記載の誘導加熱調理器。
【請求項７】
前記アダプタ部材は、前記基板ケースに対していずれか一方に形成された凹部と他方に設けられた凸部とによって取り外し可能に嵌合されていることを特徴とする請求項６に記載の誘導加熱調理器。
【請求項８】
前記アダプタ部材は、前記基板ケースの前記開口を閉鎖可能な蓋部材であることを特徴とする請求項４〜７のいずれか１項に記載の誘導加熱調理器。
【請求項９】
前記基板ケースは上下に区分けし且つそれぞれが前記制御基板を個別に支持可能な棚板を持つ棚構造に構成されており、前記アダプタ部材は前記各棚板について個別に又は前記各棚板に共通して配設されていることを特徴とする請求項４〜８のいずれか１項に記載の誘導加熱調理器。
【請求項１０】
前記制御基板を冷却する冷却ファンを備えており、前記アダプタ部材は前記冷却ファンから前記基板ケース内を通って前記開口を通じて流れる冷却空気の流量を調節可能であることを特徴とする請求項４〜９のいずれか１項に記載の誘導加熱調理器。
【請求項１１】
前記加熱コイルと前記制御基板とは、前記基板ケースの前記開口側において配線にて接続可能であることを特徴とする請求項２〜１０のいずれか１項に記載の誘導加熱調理器。
【請求項１２】
前記トッププレートが上面に配置され、前記加熱コイルと前記基板ケースとが内部に収容される本体ケースを備えており、前記本体ケースには、前方側部において前記内部を開閉可能なパネル部が設けられており、前記基板ケースは、前記開口を前記本体ケースの前記パネル部に対応させた状態で前記本体ケース内に配置されていることを特徴とする請求項２〜１１のいずれか１項に記載の誘導加熱調理器。
【発明の詳細な説明】
【技術分野】
【０００１】
本発明は、加熱調理具を電磁誘導に基づいて加熱する誘導加熱調理器に関する。
【背景技術】
【０００２】
従来の誘導加熱調理器は、絶縁材から成るトッププレート上に鍋等の被加熱調理具を載置しておき、加熱コイルが発生する磁束の変化に応じた電磁誘導よって被加熱調理具に発生される渦電流に基づいて被加熱調理具を加熱するものである。誘導加熱による調理は、ガスなどの燃焼系の調理器に比べて、被加熱物である調理具以外への放熱が少なく、熱効率も良好である。
【０００３】
従来の誘導加熱調理器の全体構成が、図１０に断面概略図として示されている。また、図１０に示す誘導加熱調理器６０の分解斜視図が図１１に示されている。図１０及び図１１に示されている誘導加熱調理器６０は、システムキッチンのキャビネット１に組み込んだ状態で据え付けられている。本体ケース２の上面には、絶縁板から成り被加熱物（図示せず）を載置可能なトッププレート３が置かれており、トッププレート３の下側には複数の加熱コイル１０（この例では２つの加熱コイル１０ａ，１０ｂ）、ラジエントヒーター加熱部４、ロースター加熱部５が設置されている。加熱コイル１０の下方には、各加熱コイル１０の制御用として加熱コイル１０に対応して制御基板１２（この例では、上側１２ａ、下側１２ｂ）が設置されている。本体ケース２は、制御基板１２を内部に配置する基板ケース１１を有している。基板ケース１１は、複数の制御基板１２のための複数の棚板１９を備えており、各制御基板１２がそれぞれの棚板１９に載置され、ビス等の固着具１９ａによって上方から棚板１９に固定されている。制御基板１２は、端子１６及び配線１７を介して加熱コイル１０に接続されている。加熱コイル１０は、基板ケース１１の上壁にコイル支持部１５によって弾性支持されている。トッププレート３の後部には吸気口６と排気口７とが、上方に向けて開口する態様で形成されている。本体ケース２内には奥方のスペースに冷却ファン１４が設けられており、吸気口６と冷却ファン１４とはダクトによって繋げられている。制御基板１２は冷却ファン１４によって吸気された外気によって冷却され、制御基板１２を冷却した空気は、更に加熱コイル１０を冷却した後、排気口７から本体ケース２の外に排気される。
【０００４】
制御基板１２が故障したときには、交換・修理等のサービス作業を行う必要がある。この場合、誘導加熱調理器６０を分解する様子が図１１に示されているように、誘導加熱調理器６０をシステムキッチンのキャビネット１から取り出し、別の場所に誘導加熱調理器６０を置いた後、トッププレート３を取り外し、その後、本体内部の加熱コイル１０ａ，１０ｂ、ラジエントヒーター加熱部４を取り外す。この状態で、制御基板１２を内部に配置する基板ケース１１をコイル支持部１５と共に取り出すことができる。基板ケース１１を誘導加熱調理器６０から分離した状態で固着具１９ａを外すことで、基板ケース１１の中から制御基板１２を取り出すことができる。更に、制御基板１２は、棚構造に構成されている基板ケース１１内において、通常、上下に複数枚配設されているので、下方にある制御基板１２ｂを取り出すには、上方の制御基板１２ａを取り除く必要がある。
【０００５】
誘導加熱調理器６０において加熱コイル１０を制御する制御基板１２を交換し修理を行うには、制御基板１２が加熱コイル１０の下方に設置されているため、上記のようにトッププレート３を取り外した後に加熱コイル１０やラジエントヒーター加熱部４等を取り外さなければならず、そうした作業には多くの時間を要しており、更に、複雑な配線処理が必要なために手間がかかっていた。
【０００６】
底板に高圧トランスが直接取り付けられている加熱調理器において、１３５℃のような高温にもなるトランスのコイルの熱からプリント基板を保護するために、プリント基板を側面から挿入してプリント基板の固定片で固定するとともに高圧トランス固定台の上板との間に、トランスの切り粉防止用の絶縁板をＵ字状に固定することにより、トランスのコイルと同様に高温となるマグネトロンとトランスのコイルとを近づけて同時に冷却し、その中にプリント基板を装着することによって、磁気シールドを達成し、且つ低温に保つことを可能にすることが提案されている（特許文献１参照）。
【特許文献１】特開昭５９−１８３２３号公報（第２頁左上欄第３行〜右上欄第１８行、第１図、第２図）
【発明の開示】
【発明が解決しようとする課題】
【０００７】
そこで、加熱調理具が載置可能なトッププレートの下方に当該加熱調理具を加熱する加熱コイルが配置されており、加熱コイルの下方に、加熱コイルを制御するための制御基板を収容している基板ケースが配置されている加熱調理器において、基板を基板ケースに対して容易に収納又は取り出し可能にする点で解決すべき課題がある。
【０００８】
この発明の目的は、加熱コイルを制御する制御基板の交換・修理が容易であって、交換・修理のための時間と手間を削減可能な誘導加熱調理器を提供することである。
【課題を解決するための手段】
【０００９】
上述の課題を解決するために、本発明による誘導加熱調理器は、加熱調理具が載置可能なトッププレート、加熱調理具を加熱するためトッププレートの下方に配置されている加熱コイル、加熱コイルの下方に配置されている基板ケース、及び加熱コイルを制御するため基板ケース内に配置されている制御基板を備え、制御基板は基板ケースに対して側方から収納又は取り出し可能であることを特徴としている。
【００１０】
このように構成された誘導加熱調理器によれば、制御基板は基板ケースに対して側方から収納又は取り出し可能であるので、制御基板を基板ケースの側方外側から基板ケースの内部に差し入れて収納させ、或いは基板ケースの内部から側方外側に取り出すことができる。したがって、基板ケースを取り出して分解するなどの作業を強いられることがなく、手間がかからずサービス性に優れた誘導加熱調理器が提供される。
【００１１】
この誘導加熱調理器において、基板ケースは、側部において、制御基板が通過可能な開口が形成されているものとすることができる。このような構造とすることにより、制御基板の収納・取り出しが、基板ケースに形成されている開口を通して制御基板を通過させるという側方への動作だけで行うことができる。
【００１２】
基板ケースに開口を形成した上記誘導加熱調理器において、基板ケースの開口を通した先の奥部には、当該開口を通して差し入れた制御基板の先端部がスライド挿入可能な係合部を配設することができる。基板ケースの開口を通した先の奥部に係合部を配設することにより、制御基板の収納・取り出しの際の制御基板の動きの一部をそのまま利用して係合部との係合又は離脱を行うことができる。即ち、開口を通して制御基板を収納させる際には、制御基板の移動の最後の段階において、制御基板の先端部が係合部にスライド挿入されて係合される。逆に、制御基板を取り出す際にも、開口を通して制御基板を引き出す最初の段階で、制御基板は係合部からスライドして離脱される。
【００１３】
基板ケースに開口を形成した上記誘導加熱調理器において、基板ケースの開口にはアダプタ部材を取り外し可能に適合し、アダプタ部材は、その内面側に、制御基板を固定する固定具を備えることができる。アダプタ部材を基板ケースの開口に適合した場合には、そのアダプタ部材の内面側に備わる固定具によって、制御基板を固定することができる。アダプタ部材を基板ケースの開口から外した場合には、アダプタ部材の内面側に備わる固定具は制御基板から外れ、制御基板の固定が解除される。
【００１４】
固定具を備えたアダプタ部材が適合される上記誘導加熱調理器において、固定具は、制御基板の手元端部が挿入可能な凹形溝が形成されている溝付き固定具、或いは制御基板の手元端部を基板ケースに押さえ付ける押え固定具とすることができる。アダプタ部材を開口に適合したとき、溝付き固定具の場合には、制御基板の手元端部が凹形溝に挿入されることで制御基板が固定される。また、押え固定具の場合には、制御基板の手元端部が基板ケースに押さえ付けられることで制御基板が固定される。
【００１５】
押え固定具を備えたアダプタ部材が適合される上記誘導加熱調理器において、アダプタ部材は、基板ケースに対していずれか一方に形成された凹部と他方に設けられた凸部とによって取り外し可能に嵌合されることが好ましい。上記アダプタ部材は、基板ケースとの間で凹凸嵌合可能とすることにより、アダプタ部材を開口に適合したとき、基板ケースと凹凸嵌合し、適合状態が確実に確保される。
【００１６】
アダプタ部材が適合される上記の誘導加熱調理器において、アダプタ部材は、基板ケースの開口を閉鎖可能な蓋部材とすることができる。アダプタ部材の基板ケースへの適合状態では、アダプタ部材は、蓋部材として基板ケースの開口を閉鎖することができる。
【００１７】
アダプタ部材が適合される上記の誘導加熱調理器において、基板ケースについては上下に区分けし且つそれぞれが制御基板を個別に支持可能な棚板を持つ棚構造に構成し、アダプタ部材は各棚板について個別に又は各棚板に共通して配設することができる。基板ケースを棚構造とすることによって、複数の制御基板を棚板に個別に支持させることができる。また、アダプタ部材についても、各棚板について個別に配設することができるが、各棚板に共通して配設することも可能である。
【００１８】
アダプタ部材が適合される上記の誘導加熱調理器において、制御基板を冷却する冷却ファンを備えており、アダプタ部材は冷却ファンから基板ケース内を通って開口を通じて流れる冷却空気の流量を調節可能である。基板ケースの開口に適合されるアダプタ部材は、適合状態では当該開口の開き程度を設定可能である。アダプタ部材が開口を多く覆えば、それだけ、冷却空気の流路断面を絞ることになり冷却空気の流量を少なくすることができる。逆に、アダプタ部材が開口を覆う面積が少なくなれば、それだけ、冷却空気の流路断面は広く、冷却空気の流量を確保することができる。
【００１９】
基板ケースに開口を形成した上記誘導加熱調理器において、加熱コイルと制御基板とは基板ケースの開口側において配線にて接続可能とすることができる。この構造によれば、アクセスし易い基板ケースの開口側にて、加熱コイルと制御基板とを配線接続することができ、作業性が良い。なお、配線については、制御基板に対して分離可能な端子で接続するのが好ましい。端子にて配線と分離した制御基板のみを基板ケースから取り出すことができ、制御基板を基板ケースに収納したときも、収納後に端子にて配線と接続することができる。
【００２０】
基板ケースに開口を形成した上記誘導加熱調理器において、トッププレートを上面に配置し、加熱コイルと基板ケースとを内部に収容される本体ケースを備えており、本体ケースには、前方側部において内部を開閉可能なパネル部を設けて、基板ケースについては、開口を本体ケースのパネル部に対応させた状態で本体ケース内に配置させることができる。誘導加熱調理器には本体ケースが設けられるが、開口が形成される基板ケースとの関係から、本体ケースのパネル部と基板ケースの開口について上記の配置とすることにより、前方側部に設けられるパネル部を開くことで、基板ケースの開口に直ちにアクセスすることができる。
【発明の効果】
【００２１】
この発明による誘導加熱調理器は、加熱調理具が載置可能なトッププレート、加熱調理具を加熱するためトッププレートの下方に配置されている加熱コイル、加熱コイルの下方に配置されている基板ケース、及び加熱コイルを制御するため基板ケース内に配置されている制御基板を備えており、制御基板は基板ケースに対して側方から収納又は取り出し可能であるので、基板ケースを取り出して分解するなどの作業を強いられることがなく、手間がかからずサービス性に優れた誘導加熱調理器となる。したがって、加熱コイルを制御する制御基板の交換・修理が容易であって、交換・修理のための時間と手間を削減可能な誘導加熱調理器が得られる。
【発明を実施するための最良の形態】
【００２２】
以下、本発明による誘導加熱調理器の実施形態を図面に従って説明する。図１は本発明による誘導加熱調理器の一実施形態を示す外観斜視図、図２は図１に示す誘導加熱調理器の縦断面図である。図１及び図２において、図１０及び図１１において従来のものとして示したものと同等の構成要素には同じ符号を付してある。図１において、誘導加熱調理器５０はシステムキッチンのキャビネット１に組み込まれた態様で使用されるもので、キャビネット１の上面にトッププレート３を備え、トッププレート３の下側には前方左右に誘導加熱部である加熱コイル１０ａ，１０ｂと後方中央部にラジエントヒーター加熱部４が設置されている。前面には、左にロースター加熱部５、右にパネル部８が設置されている。上記の各加熱部は本体ケース２の中に収められており、パネル部８は本体ケース２の表面の一部として機能している。
【００２３】
図２において、加熱コイル１０の下方には加熱コイル１０を制御する制御基板１２が設置されている。制御基板１２は、加熱コイル１０との間が配線１７で接続されている。制御基板１２は、基板ケース１１の内部に後述するように配置・固定された状態で本体ケース２内において収納されている。制御基板１２は、本体ケース２内に収納状態のとき、トッププレート３の後端部に上方に向けて開口する態様で設けられている吸気口６から冷却ファン１４によって吸気された外気によって冷却される。配線１７は、基板ケース１１の前方開口１１ａ側で制御基板１２に対して端子１６で接続可能であるので、パネル部８を取り除いた状態であれば、手作業にて端子１６を制御基板１２に接続又は分離させることができる。
【００２４】
図２に示すように、基板ケース１１は、本体ケース２内においてパネル部８の奥方に、冷却ファン１４の設置領域の近傍まで延びる態様で配置されている。基板ケース１１は、上下に仕切られた棚構造となっており、各段の棚板１９（最下の棚板は底壁２１を兼ねている）が制御基板１２を固定するための基板固定用ベースとして用いられている。基板ケース１１のパネル部８側は、前方開口１１ａとなっている。パネル部８を本体ケース２から取り外すことにより、外部から基板ケース１１へのアクセスが可能となっているので、本体ケース２をキャビネット１から取り出すことなく、また基板ケース１１を本体ケース２から取り出すこともなく、前方開口１１ａを通して制御基板１２を外部から収納し或いは取り出すことが可能である。
【００２５】
図３は、図２に示される誘導加熱調理器の実施の形態の要部を示す斜視図である。図３に示すように、基板ケース１１は、上壁２０、底壁２１、側壁２２及び奥壁２３によって囲まれた箱状の構造を備えており、複数の棚板１９によって上下に仕切られた棚構造となっている。底壁２１は、棚板１９としての機能を兼ねている。基板ケース１１のパネル部８側は、前方開口１１ａとして開放されているか、或いは後述する蓋状のアダプタ部材の適合によって閉じられるときにも、アダプタ部材の適合を外すことで開口可能である。この例では、上壁２０には、加熱コイル１０を弾性支持するためのコイル支持部１５が３箇所に配置されている。
【００２６】
図２及び図３に示す形態では、各棚板１９には、その奥端上において係合具１８が載置して取り付けられている。係合具１８は、基板ケース１１の内幅と同じ横幅を持ち、且つ制御基板１２の先端部が左右全幅に渡って挿入可能な溝１８ａが形成されている。前方に開いた前方開口１１ａを通して制御基板１２を基板ケース１１の棚板１９上に差し入れて、その動作の最終段階で、制御基板１２の先端部を係合具１８の溝１８ａにスライド挿入させることができる。基板ケース１１の前方開口１１ａには、前方開口１１ａを閉鎖可能な蓋部材として、アダプタ部材２５が取り外し可能に適合されている。アダプタ部材２５は、その内面側に、制御基板１２の手元端部が嵌入可能な溝２６ａが形成された溝付き固定具２６（以下、固定具２６と略す）を備えている。アダプタ部材２５は、固定具２６が制御基板１２の手元端部を棚板１９に載置することによって、基板ケース１１に対して前方開口１１ａを閉鎖可能に適合される。
【００２７】
制御基板１２の先端部が係合具１８にスライド挿入されるように制御基板１２を基板ケース１１に収納した状態で、基板ケース１１の前方開口１１ａを閉鎖するようにアダプタ部材２５を適合するとき、制御基板１２の前端部が固定具２６の溝２６ａに挿入される。制御基板１２は、先端部と手元端部とがそれぞれ係合具１８と固定具２６において溝１８ａ及び溝２６ａ内に締まり嵌合状態に係合することによって、棚板１９に固定される。アダプタ部材２５を手前側に引いて固定具２６を手元端部が溝２６ａに嵌入していた制御基板１２から離脱させることで、アダプタ部材２５の基板ケース１１に対する適合が外される。このとき、制御基板１２に対しては、基板ケース１１の開いた開口１１ａを通して、手元端部や端子１６にアクセス可能となる。制御基板１２は、その手元端部を掴むことで基板ケース１１から取り出すことができる。この実施の形態では、固定具２６は一つの制御基板１２に対して左右に２箇所に分けて設けられている。パネル部８を取り除いた状態で制御基板１２を基板ケース１１から従って誘導加熱調理器５０の外へと取り出す様子が、図９の斜視図に示されている。
【００２８】
この構成によれば、制御基板１２の基板ケース１１への収納及び取り出しは、パネル部８、アダプタ部材２５及び制御基板１２に対していずれも水平方向の作業だけとなる。即ち、制御基板１２は、パネル部８を取り外しアダプタ部材２５の適合を解除した状態で、誘導加熱調理器５０の前面方向へ引き出すこと或いは押し込んで収納させることができ、誘導加熱調理器５０をシステムキャビネット１から取り出す必要が無くなり、交換・修理等の作業が簡単・容易になる。
【００２９】
図４は、この発明による誘導加熱調理器の別の実施の形態について、その要部を示す斜視図である。図３に示す形態では制御基板１２がスライド挿入される係合具１８が制御基板１２の先端部において左右全幅に及ぶ構成であったが、図４に示す形態ではそれに代えて、両端のコーナーに分割し限定された例である。係合具２８には、図３に示すように、制御基板１２の先端部の左右コーナー部分のみが挿入される溝２８ａが形成されている。アダプタ部材２５及びそれに備わる固定具２６の構造については変更はなく、制御基板１２の基板ケース１１からの収納・取り出しの作用についても変わりはない。固定具２６を含むアダプタ部材２５の基板ケース１１への取り付け方向が矢印で示されている。
【００３０】
図５は、この発明による誘導加熱調理器の更に別の実施の形態について、その要部を示す斜視図である。図５に示す実施形態においては、図３又は図４に示す実施形態において用いられていた、基板ケース１１の前方開口１１ａに取り外し可能設けられていたアダプタ部材２５は用いられておらず、それに代えて、各制御基板１２毎にそれぞれ設けられた固定具３６，３６のみで構成されている。各固定具３６は、制御基板１２の手元端部において左右全幅に及ぶ幅を有している。固定具３６，３６の溝３６ａ内に制御基板１２の手元端部をあてがった状態で固定具３６，３６を押し込むことで、制御基板１２の手元端部を固定具３６，３６に係合させることができ、この係合状態で固定具３６，３６が棚板１９上に載置される。この形態では、基板ケース１１の前方開口１１ａを通る風通りが良く、制御基板１２を効率良く冷却することができる。固定具３６，３６の基板ケース１１への取り付け方向が矢印で示されている。
【００３１】
基板ケース１１の前方開口１１ａに取り外し可能に設けられていたアダプタ部材については、例えば、図３及び図４に示す例で用いられていたアダプタ部材２５の幅・長さ・形状等を変更することによって、冷却ファン１４によって吹き出されて制御基板１２を流れる風の量を調整することができ、その結果、制御基板１２について効率の良い冷却が行えるようになる。図６は、この発明による誘導加熱調理器の更に別の実施の形態について、その要部を示す斜視図である。図６に示す形態では、図５に示す例で用いられていた上下の各固定具３６が、基板ケース１１の開口の左右幅よりも狭い連結板３５で連結されている。連結板３５は、先の実施形態におけるアダプタ部材２５の変形例としても捉えることができるものであるが、両固定具３６，３６と一体的に構成されていてもよく、或いは別体に製作したものを後で一体化させてもよい。また、連結板３５の形状は、図示のものに限られず、連結機能及び左右の冷却風のための通路が確保されていれば適宜に変更可能である。このユニット化された構造により、固定具３６，３６の取扱いの利便性が向上するとともに、連結板３５の幅寸法に応じて下方の制御基板１２ｂのための冷却風の吹出し口のみが狭められることで、上方の制御基板１２ａへ流れる冷却風量を下方の制御基板１２ｂへ流れる冷却風量よりも多くすることができる。
【００３２】
図７は、この発明による誘導加熱調理器の更に別の実施の形態について、その要部を示す斜視図である。図７において、基板ケース１１の前方開口１１ａを通して見る奥部側には制御基板１２がスライド挿入される係合具１８を有しているので、制御基板１２を前面方向へ引き出すことで基板ケース１１から容易に取り出すことができる。基板ケース１１の前方開口１１ａに適合されるアダプタ部材４５は、その内側面に、各制御基板１２に対してその両端部に係合可能な断面略Ｌ型形状の押え固定部４６（以下、固定部４６と略す）を有している。アダプタ部材４５と共に固定部４６を図示のような動作で適合することにより、各固定部４６は制御基板１２を押さえ付けて固定する。なお、固定部４６は、制御基板１２を上方から押えて固定する機能を備えていればよく、必ずしも断面Ｌ型である必要はない。更に、基板ケース１１の前方開口１１ａに取り外し可能に適合されるアダプタ部材４５は、その側部の一部に凹部４７を有しており、凹部４７が基板ケース１１に設けられた凸部４８と嵌合することで、基板ケース１１を蓋部材として前方開口１１ａを閉じることができる。この構成によれば、制御基板１２を収納・取り出しのために通過させる前方開口１１ａをアダプタ部材４５で閉じることができ、制御基板１２を基板ケース１１に収納あるいは取り出すのにビス止め等の必要が無く手間無く行える。アダプタ部材４５と基板ケース１１との凹凸嵌合の例は一例であって、設けられる場所や嵌合構造については、作業の簡便さを保証するものであれば適宜の変更が可能である。
【００３３】
図８は、この発明による誘導加熱調理器の他の実施の形態について、その要部を示す斜視図である。図８のように、前方開口１１ａに対して取り外し可能に適合されるアダプタ部材４５ａには、その一部に窓状の開口部４９，４９が形成されている。この場合、開口部４９，４９の大きさによって各制御基板１２を冷却する風量を調整することができるとともに、開口部４９，４９は左右の固定部４６，４６間の水平横方向に設けることで、アダプタ部材４５ａが基板ケース１１の前方開口１１ａを蓋部材として覆うことで閉鎖した状態であっても、開口部４９，４９を通して制御基板１２が固定部４６に確実に押えられて垂直方向に浮いていないことを確認することができる。したがって、制御基板１２の取替え・修理作業において、作業ミスを低減させることができる。なお、図示の例では、各開口部４９は同じ大きさに形成されているが、開口の形状や大きさは必要な冷却の程度に応じて変更可能である。
【図面の簡単な説明】
【００３４】
【図１】本発明による誘導加熱調理器の一実施形態を示す外観斜視図である。
【図２】図１に示す誘導加熱調理器の縦断面図である。
【図３】図２に示される誘導加熱調理器の実施の形態の要部を示す斜視図である。
【図４】この発明による誘導加熱調理器の別の実施の形態について、その要部を示す斜視図である。
【図５】この発明による誘導加熱調理器の更に別の実施の形態について、その要部を示す斜視図である。
【図６】この発明による誘導加熱調理器の更に別の実施の形態について、その要部を示す斜視図である。
【図７】この発明による誘導加熱調理器の更に別の実施の形態について、その要部を示す斜視図である。
【図８】この発明による誘導加熱調理器の他の実施の形態について、その要部を示す斜視図である。
【図９】図１に示す誘導加熱調理器において、制御基板を誘導加熱調理器の外に取り出す様子を示す斜視図である。
【図１０】従来の誘導加熱調理器の全体構成を示す断面概略図である。
【図１１】図１０に示す誘導加熱調理器の分解斜視図である。
【符号の説明】
【００３５】
１  キャビネット                    ２  本体ケース
３  トッププレート                  ４  ラジエントヒーター加熱部
５  ロースター加熱部                ６  吸気口
７  排気口                          ８  パネル部
１０，１０ａ，１０ｂ  加熱コイル
１１  基板ケース                    １１ａ  前方開口
１２  制御基板                      １４  冷却ファン
１５  コイル支持部                  １６  端子
１７  配線
１８  係合具                        １８ａ  溝
１９  棚板                          １９ａ  固着具（ビス）
２０  上壁                          ２１  底壁
２２  側壁                          ２３  奥壁
２４  棚板
２５，４５，４５ａ  アダプタ部材
２６，３６，４６  固定具            ２６ａ，３６ａ  溝
２８  係合具                        ２８ａ  溝
３５  連結板（アダプタ部材）
４７  凹部                          ４８  凸部
４９  開口部
５０  誘導加熱調理器                ６０  誘導加熱調理器
【図１】
2007035534.tif 000003
【図２】
2007035534.tif 000004
【図３】
2007035534.tif 000005
【図４】
2007035534.tif 000006
【図５】
2007035534.tif 000007
【図６】
2007035534.tif 000008
【図７】
2007035534.tif 000009
【図８】
2007035534.tif 000010
【図９】
2007035534.tif 000011
【図１０】
2007035534.tif 000012
【図１１】
2007035534.tif 000013